(57)【要約】      （修正有）【課題】運送業者等の配達作業において必要な配送箱に貼付される収納袋と配送伝票等帳票を別個に準備する煩雑さを解消し、収納袋と配送伝票等帳票を一体化した配達伝票を提供する。【解決手段】収納袋の片面として使う透明または半透明のフィルムに必要な部分のみ粘着剤が貼着された台紙と、表面にはフラップ部および配送伝票等帳票類が印刷され、裏面には必要な部分のみ離形剤を塗工した上紙が張り合わされ、収納袋が一体化した配送伝票等帳票を作製した。上紙に運送業者などが配達商品リストや配達先を印字した後、上紙から収納物の一部をなす配送伝票等の帳票を切取ると同時に剥がされた台紙を配送箱に貼付し、配送箱の壁面や上面に収納袋が形成されるので、この収納袋に切取った配送伝票やその他必要な書類を収納した後、フラップ部からフラップ部上紙を剥がしてフィルム状台紙に粘着性を発現させて配送箱に貼付することにより収納袋入り口を閉じる。【選択図】図５
0003149495.tif 000002
【実用新案登録請求の範囲】
【請求項１】
上紙と台紙の２層が剥離可能に貼合された配送伝票等の帳票であって、
上紙の表面には切取り伝票を備えてなり、当該切取り伝票の一辺は上紙表面から裏面に到達する深さのハーフカットが施され、伝票は容易に切取り可能な形になっており、
上紙裏面の周囲は剥離剤が貼付されており、
台紙は透明または半透明である基質で構成され、
台紙表面には、当該剥離剤と対向する位置に粘着剤が粘着されており、
当該台紙は、切り取り伝票を分離すると現れる粘着剤を利用して、商品等配送箱上に三辺を貼り付けて収納袋を構成することができ、残る一辺に開いた入り口から、分離した切取り伝票の全部または一部、或いは必要に応じて別途準備した伝票類を合わせて、当該収納袋に挿入することができ、フラップ部の上紙を台紙から剥がすことにより現れた粘着剤を利用してフラップ部の台紙を商品配送箱に貼り付けることにより収納袋の入り口を閉じることができる機能を備えてなる
ことを特徴とする配送伝票等の帳票。
【請求項２】
前記フラップ部の上紙の裏面に印刷、印字または書き込み等を表示できる”表示部”を設け、当該”表示部”の周囲に、ハーフカットを施し、商品配送時には”表示部”が表面から明確に見えるようにした第１項に記載の配送伝票等の帳票。
【請求項３】
前記フラップ部の上紙を台紙から剥がし易くするために、フラップ部端部からフラップ部中央部へ伸びる位置にハーフカットを施した前項に記載の配送伝票等の帳票。
【考案の詳細な説明】
【技術分野】
【０００１】  この考案は、通信販売業者、百貨店、あるいは運送業者が商品を配送する場合に使用する収納袋と一体化した配送伝票等帳票に関するものである。
【背景技術】
【０００２】  従来、運送業者の使用する配送伝票は特別な用途以外は配送箱の上部に貼付し、その詳細な配送リストや送り状や代金振込票などの帳票は配送箱の中に収納して配送したり、商品箱の壁面に透明な袋を貼り付けて、その中に収納して配送している。【０００３】  しかし、透明な袋を配送箱に貼り付けて配送する場合の収納袋については、運送業者において収納袋自体を別途準備する、或いは、収納袋を貼付した配送箱を別途準備する必要があり、さらに運送途上での伝票落下、紛失などを避けるため、収納袋に必要な配送伝票を収納した後に、ヒートシールする必要性があった。そのため配送作業が複雑になり、時間が余計にとられていた。或いは、手間を省くためにヒートシールせず、収納袋の頭部分を袋内に折り曲げ、収納物を収納袋頭部と収納袋側面の間に挟んで落ちにくくした状態で配送していた。この場合配送途中での伝票落下事故は避けられないものであった。【０００４】  一方、写真店などで使用する写真用収納袋については種々の工夫がされており、その技術として以下の特許文献が挙げられる。【０００５】
【特許文献１】特開２００２−１２７６４４
【特許文献２】登録実用新案第３０９４７６３号
【特許文献３】特開２００３−１２８０７９
【特許文献４】登録実用新案第３１２７２７５号
【０００６】  しかし、これら技術の対象とする物は、多くの場合収納物が多数あり、あらかじめ収納物と収納袋を一体化することができないものであり、かつ、その必要性が無いものである。従って、収納物と収納袋を一体化するための工夫は全く見られない。【０００７】
【考案の開示】
【考案が解決しようとする課題】
【０００８】  本考案は、収納物を収納袋に収納した後に収納物が配送途中で雨にぬれたり、湿気を帯びて配送先のアドレスが読み取りにくくなることを防ぐために使用されるビニル製などのフィルム製収納袋の取扱上の不便さをなくすため、また、運送業者が配送先を配送伝票に印字した後、流れ作業で配送作業ができるように、収納袋と一体化した配送伝票等の帳票を作成し、上紙である当該帳票の一部を切取り、収納物の一部とし、切取られた台紙は収納袋として使うことができ、必要な収納物を収納袋に収納後、挿入口を密封する機構を備えた配送伝票等の帳票を作成することにある。
【課題を解決するための手段】
【０００９】  本考案では、収納袋の片面として使う透明または半透明のフィルムに必要な部分のみ粘着剤を貼付した台紙と、表面にはフラップ部および配送伝票その他の帳票類が印刷され、裏面には必要な部分のみ離形剤を塗工された上紙が張り合わされ、収納袋と一体化した配送伝票等の帳票を作製する。
【考案の効果】
【００１０】  本考案により、上紙に運送業者などが配達商品リストや配達先を印字した後、上紙から収納物の一部をなす配送伝票等の帳票を切取ると同時に剥がされた台紙を配送箱に貼付し、配送箱の壁面や上面に収納袋が形成されるので、この収納袋に切取った配送伝票やその他必要な書類を収納した後、フラップ部からフラップ部上紙を剥がしてフィルム状台紙に粘着性を発現させて配送箱に貼付することにより収納袋入り口を閉じる。
これにより収納物は完全に密封され、配送途中で脱落することも無く、雨や湿気などによって影響を受けにくくし、汚損などの事故を未然に防ぎ配送先に到着することが可能になる。
【考案を実施するための最良の形態】
【００１１】  以下、本考案の実施例について説明する。
図１は本考案実施例１による収納袋と配送伝票等帳票部が一体化された配送伝票等帳票の全体俯瞰図であり、上紙に施されたハーフカットが示されている。この配送伝票等帳票は透明または半透明のフィルムを台紙としてその表面に粘着剤が貼着されており、上質紙表面に配送伝票や商品リストなどを印刷した上紙の裏面に必要に応じた離形剤が印刷塗布されており、収納袋が一体化された配送伝票等帳票である。【００１２】  図２は本考案実施例１の上紙裏面に塗布されている剥離剤層の配置を示し、図３は本考案実施例１の台紙表面に貼着されている粘着剤層の配置を示す。図４は透明ないし半透明のフィルム材質からなる台紙で、図２〜図４はすべて上紙上面から透視した図である。
図５ａ）は、図２のＸ−Ｘ横断線の位置における本実施例における配送伝票等帳票の断面図を示す。上紙と台紙間に存在する粘着剤と剥離剤は上紙や台紙の厚みに比べ非常に薄いが、本実施例の構成を分かりやすくするために粘着剤と剥離剤の厚みを何倍も大きくし、寸法を無視した図である。【００１３】  まず、本実施例１において、フラップ部はそのままにして、図５ｂ）のように上紙帳票部を台紙から分離すると台紙上面に貼着された粘着剤が現れ、その粘着力を利用して、台紙を配送箱の上面乃至壁面に貼り付けると透明乃至半透明の収納袋が配送箱に形成される。その際、上紙帳票部を台紙から剥がす時には図５のハーフカット１９を利用して台紙フィルムを折り曲げると容易にはがれる。【００１４】  次に、台紙から分離した帳票部を折りたたみ、その収納袋に開いた入り口であるフラップ部から挿入し、さらに図５ｃ）のようにフラップ部の上紙を当該収納袋から分離し、現れた粘着剤を利用して、配送箱上面乃至壁面に貼着すると、図１１のように配送伝票等帳票は配送箱上面乃至壁面に貼着された透明乃至半透明の収納袋に完全に密封されている。【００１５】  次に本考案の実施例２について説明する。
本実施例は、例えば海外からの移送品などにおいて、配送箱上面に配送伝票を貼り付けるが、収納袋を側面に貼り付け、通関に必要な書類や受取人への商品リスト、請求書などの必要書類を収納する場合などに使用される形態を提供する。その際には側面に貼着された収納袋の一部に「課税通知書等在中」などの内容を表示する表示部があれば便利である。【００１６】  実施例２本体の構成は、図６〜図９に示す。
図６は上紙の上面図を示す。
図７〜図９はすべて上紙上面から透視した図であり、図７は上紙裏面に印刷塗布された離形剤の位置をハッチングで表わすものであるが、その位置関係を明確にするため、上紙表面から透視した図である。フラップ部の表示部には離形剤は塗布されていない。
図８はフィルム状台紙の上面図であり、表面に印刷塗布された粘着剤の位置をハッチングで示している。上紙表示部に対向する位置には粘着剤が印刷塗布されている。
図９は、図８において塗布された粘着剤を省略したフィルム状台紙の上面図である。【００１７】  本実施例においては、図１０ａ）および図１０ｂ）に見られるように当該表示部には離形剤は存在せず、上紙の当該表示部はフィルム状台紙にしっかりと貼付されているため、図１０ｃ）のようにフラップ部を分離した後において、配送箱の壁面に当該フィルム状収納袋が配送箱に貼付されたときに収納袋の内容を表示することができるようになっており、図１２のようにフィルム収納袋の外部から明確に見ることができる。【００１８】  図１０ａ）は、図７のＹ−Ｙ横断線の位置における当該実施例における配送伝票等帳票の断面図を示す。図５と同様、上紙と台紙間に存在する粘着剤と剥離剤は上紙や台紙の厚みに比べ非常に薄いが、分かりやすくするために粘着剤と剥離剤の厚みを何倍も大きくした寸法を無視した図である。従って、図１０ｂ）において上紙裏面表示部と粘着剤との間には空間があり、接触していないように見えるが、実際にはこの上紙裏面表示部は粘着剤が貼着している。【００１９】  本考案の実施例２は実施例１と違って、フラップ部の上紙裏面に表示部を設けていることを特徴とする。この表示部には表示内容を事前に印刷するが、この印刷は上紙上面の帳票類印刷工程において同時にかつ容易に実施できるものである。【００２０】  本考案実施例２において、表示部を除く上紙のフラップ部は台紙から剥がす際に図６のハーフカット２０を利用すれば容易に剥がすことができる。【００２１】  本考案において使用される粘着剤の種類は特に限定されるものではないが、実施例１および実施例２の収納袋と一体化した配送伝票等帳票を製造する上で望ましいのは、上紙裏面に固形のホットメルト接着剤を使用し、摂氏１４０〜１６５度程度の高温下におくことにより当該接着剤に流動性を与え、版材を使いフレキソ方式で印刷塗布することである。【００２２】  本考案における台紙の材質は、透明乃至半透明のフィルムであれば使用可能であるが、配送伝票と一体化するために、その製造工程や印字工程で操作性のよいものが要求されるため引張り強度が大きくヤング率が高いものがのぞましく、また使用上、雨や湿気に強いフィルムでなければならない。
【図面の簡単な説明】
【００２３】
【図１】本考案に係わる実施例１を示す平面図。
【図２】本考案に係わる実施例１の上紙裏面に印刷塗布された離形剤の配置を示す、上紙上面から透視した図。
【図３】本考案に係わる実施例１のフィルム状台紙の上面に貼付された粘着剤の配置を示す、上紙上面から透視した図。
【図４】本考案に係わる実施例１の台紙を示す。
【図５】ａ）図２におけるＸ−Ｘ横断線における厚み寸法を無視した実施例の断面図。
【図５】ｂ）同上断面図から上紙帳票部を分離した図。
【図５】ｃ）同上断面図からさらにフラップ部を分離した図。
【図６】本考に係わる実施例２を示す平面図。
【図７】本考案に係わる実施例２の上紙裏面に印刷塗布された離形剤の配置を示す、上紙上面から透視した図。
【図８】本考案に係わる実施例２のフィルム状台紙の上面に貼付された粘着剤の配置を示す、上紙上面から透視した図。
【図９】本考案に係わる実施例２の台紙を示す。
【図１０】ａ）図７におけるＹ−Ｙ横断線における厚み寸法を無視した実施例の断面図。
【図１０】ｂ）同上断面図から上紙帳票部を分離した図。
【図１０】ｃ）同上断面図からさらにフラップ部を分離した図。
【図１１】本考案実施例１における、配送箱に貼付された収納袋に配送伝票等帳票が収納され密封された様子を表す厚み方向の寸法を無視した図。
【図１２】本考案実施例２における、配送箱に貼付された収納袋に配送伝票等帳票が収納され密封された様子を表す厚み方向の寸法を無視した図。
【符号の説明】
【００２４】１  フラップ部
２  伝票部
３  ハーフカット
４  剥離剤層
５  粘着剤層
６  台紙
７  上紙
８  ハーフカット
９  剥離剤
１０  粘着剤
１１  台紙
１２  フラップ部
１３  上紙帳票部
１４  粘着剤
１５  台紙
１６  フラップ部
１７  表示部
１８  伝票部
１９  ハーフカット
２０  ハーフカット
２１  剥離剤層
２２  粘着剤層
２３  台紙
２４  上紙
２５  剥離剤
２６  粘着剤
２７  台紙
２８  フラップ部
２９  上紙帳票部
３０  表示部
３１  粘着剤
３２  台紙
３３  粘着剤
３４  配送箱外側断面
３５  密封された伝票・帳票類
３６  台紙フィルム
３７  粘着剤
３８  粘着剤
３９  台紙フィルム
４０  密封された伝票・帳票類
４１  案内表示フラップ
４２  配送箱外側断面
４３  粘着剤
【図１】
0003149495.tif 000003
【図２】
0003149495.tif 000004
【図３】
0003149495.tif 000005
【図４】
0003149495.tif 000006
【図６】
0003149495.tif 000007
【図７】
0003149495.tif 000008
【図８】
0003149495.tif 000009
【図９】
0003149495.tif 000010
【図５】
0003149495.tif 000011
【図１０】
0003149495.tif 000012
【図１１】
0003149495.tif 000013
【図１２】
0003149495.tif 000014
【手続補正書】
【提出日】平成20年11月28日(2008.11.28)
【手続補正１】
【補正対象書類名】実用新案登録請求の範囲
【補正対象項目名】全文
【補正方法】変更
【補正の内容】
【実用新案登録請求の範囲】
【請求項１】
上紙と台紙の２層が一部もしくは全部剥離可能に貼合された配送伝票等の帳票であって、  上紙の表面には切取り伝票を備えてなり、当該切取り伝票の一辺は上紙表面から裏面に到達する深さのハーフカットが施され、伝票は容易に切取り可能な形になっており、  上紙裏面の周囲は剥離剤が貼付されており、  台紙は透明または半透明である基質で構成され、  台紙表面には、当該剥離剤と対向する位置に粘着剤が粘着されており、  当該台紙は、切り取り伝票を分離すると現れる粘着剤を利用して、商品等配送箱上に三辺を貼り付けて収納袋を構成することができ、残る一辺に開いた入り口から、分離した切取り伝票の全部または一部、或いは必要に応じて別途準備した伝票類を合わせて、当該収納袋に挿入することができ、フラップ部の上紙を台紙から剥がすことにより現れた粘着剤を利用してフラップ部の台紙を商品配送箱に貼り付けることにより収納袋の入り口を閉じることができる機能を備えてなる  ことを特徴とする配送伝票等の帳票。
【請求項２】
前記フラップ部の上紙の裏面に印刷、印字または書き込み等を表示できる”表示部”を設け、当該”表示部”の周囲に、ハーフカットを施し、商品配送時には”表示部”が表面から明確に見えるようにした請求項１に記載の配送伝票等の帳票。
【請求項３】
前記フラップ部の上紙を台紙から剥がし易くするために、フラップ部端部からフラップ部中央部へ伸びる位置にハーフカットを施した請求項２に記載の配送伝票等の帳票。